(57)【要約】【課題】非常用電源を交換する際に非常用電源が落下するのを防止することのできる照明装置を提供する。【解決手段】装置本体１と、装置本体１の一端部に配設されて直管形の放電灯を収納する光源部２と、端縁部が光源部２に取り付けられて光源部２からの光を端縁部より導入して前面から放出する表示パネル３と、充電可能な二次電池、及び二次電池を収納するケース４０から成る非常用電源４と、充電回路及び点灯回路を有する点灯部５とを備え、装置本体１には、ケース４０が着脱自在に取り付けられる取付部６が設けられ、取付部６は、装置本体１の右下隅を切り欠いて形成され、ケース４０の上面に突設される嵌合片４１と、取付部６においてケース４０の上面と対向する一面に凹設されて嵌合片４１がスライド自在に嵌合する嵌合溝６０とから落下防止機構を構成した。【選択図】図１
2010033846.tif 000002
【特許請求の範囲】
【請求項１】
天井若しくは壁面に配設される箱状の装置本体と、装置本体の一端部に配設されて一乃至複数の光源を収納する箱状の光源部と、端縁部が光源部に取り付けられて光源部からの光を端縁部より導入して前面から放出する表示パネルと、充電可能な二次電池、及び二次電池を収納するケースから成る非常用電源と、商用電源からの電力供給を受けて光源に点灯電力を供給する常用点灯回路、及び商用電源からの電力供給を受けて非常用電源を充電する充電回路、並びに非常用電源からの電力供給を受けて光源に点灯電力を供給する非常用点灯回路を有する点灯部とを備え、装置本体には、非常用電源が着脱自在に取り付けられる取付部が設けられ、取付部には、非常用電源を装置本体に取り付ける際に非常用電源が落下するのを防止する落下防止機構が設けられたことを特徴とする照明装置。
【請求項２】
前記取付部は、装置本体の四隅のうち何れか１つを切り欠いて形成され、落下防止機構は、ケースにおいて取付部と対向する重力方向の一面に突設される嵌合片と、取付部においてケースの前記一面と対向する一面に凹設されて嵌合片がスライド自在に嵌合する嵌合溝とから成ることを特徴とする請求項１記載の照明装置。
【請求項３】
前記取付部は、装置本体の重力方向に沿った側面に凹設されてケースが挿入自在な凹所から成り、落下防止機構は、凹所がその開口から装置本体の内側に向かって重力方向に傾斜して成ることを特徴とする請求項１記載の照明装置。
【請求項４】
前記ケースは、取付部に取り付けた状態においてその少なくとも何れか一面が装置本体の何れか一面と同一面上に位置するように形成されたことを特徴とする請求項２又は３記載の照明装置。
【発明の詳細な説明】
【技術分野】
【０００１】
本発明は、非常灯や誘導灯等の非常用の照明装置に関する。
【背景技術】
【０００２】
従来から、公共用の建築物には非常灯や誘導灯といった非常用の照明装置が設けられる。以下、このような照明装置の従来例について図面を用いて説明する。但し、以下の説明では、図３における上下左右を上下左右方向、紙面手前側を前方向、紙面奥側を後方向と定めるものとする。
【０００３】
この従来例は、図３に示すように、天井若しくは壁面に配設されて前面が開口した扁平な箱状の装置本体１と、装置本体１の上端部に配設されて直管形の放電灯（図示せず）を収納する長尺箱状の光源部２と、上端縁部が光源部２に取り付けられて光源部２からの光を上端縁部より導入して前面から放出する表示パネル３とから構成される。
【０００４】
装置本体１には、充電可能な非常用電源４と、商用電源（図示せず）からの電力供給を受けて光源部２の放電灯に点灯電力を供給する常用点灯回路、及び商用電源からの電力供給を受けて非常用電源４を充電する充電回路、並びに非常用電源４からの電力供給を受けて光源部２の放電灯に点灯電力を供給する非常用点灯回路を箱形のケース５０に収納して成る点灯部５とが収納される。装置本体１内部の上側の左右両端部には、それぞれ後述する光源部２の係止突起２１が挿入係止される被係止部１０が設けられている。また、装置本体１内部の左右両側面には、それぞれ後述する表示パネル３の嵌合突部３０が嵌合する略Ｌ字状の被嵌合部１１が一対ずつ設けられている。
【０００５】
光源部２は、下面及び後面を開口した略直方体状の器体２０から成り、その内部の左右両端部には、放電灯が着脱自在に装着される一対のソケット（図示せず）が設けられている。また、器体２０の左右両端部には、それぞれ装置本体１の被係止部１０に挿入係止する係止突起２１が突設されている。而して、係止突起２１を被係止部１０に挿入係止することで光源部２が装置本体１に取り付けられる。
【０００６】
表示パネル３は、例えばアクリル樹脂等の透光性を有する樹脂材料から略平板状に形成され、その上端面は光源部２の放電灯からの光が入射する入射面、前面は表示パネル３内部を通過した光が出射する出射面となっている。また、出射面と対向する表示パネル３の内側後面には、図示しないが光を反射する反射シートが貼付されている。尚、その前面には、図示しないが緑色で人型に象られた部位、及び人型の部位を覆う白色で扉型に象られた部位、及び扉型の部位を覆う緑色の部位から成る誘導表示用の図柄が施されている。また、表示パネル３の左右両側面には、それぞれ装置本体１の被嵌合部１１に嵌合する略矩形状の嵌合突部３０が一対ずつ突設されている。而して、嵌合突部３０を被嵌合部１１に嵌合することで表示パネル３が装置本体１の前面を覆うようにして取り付けられる。
【０００７】
非常用電源４は、例えばニッケル・カドミウム電池、ニッケル水素電池、リチウムイオン電池などの二次電池から成り、二次電池がバラバラになるのを防ぐために樹脂材料等から形成された箱形のケース４０に収納されている。ケース４０の外装には、点灯部５に内蔵された充電回路と接続するためのコネクタ（図示せず）が設けられている。
【０００８】
ところで、上記従来例では、非常用電源４を交換する際には表示パネル３を取り外さなければならず、一般的に天井若しくは壁面において天井に近い高所に照明装置が設置されることから、交換作業が非常に煩わしいという問題があった。そこで、上記問題を解決すべく、装置本体１の下端部に着脱自在に取り付けられる収納ケースを設け、該収納ケースに非常用電源４を収納したものが特許文献１に開示されている。また、装置本体１の下端縁内方に収納空間を設け、該収納空間に非常用電源４を収納したものが特許文献２に開示されている。何れにおいても、表示パネル３を取り外すことなく非常用電源４の交換作業を行うことができ、上記問題を解決している。
【特許文献１】特開２００１−１００６７４号公報
【特許文献２】特開２００１−１００６７６号公報
【発明の開示】
【発明が解決しようとする課題】
【０００９】
しかしながら、上記特許文献１，２に記載の発明では、装置本体１の下側で非常用電源４を容易に交換することは可能であるものの、交換作業の際に誤って非常用電源４若しくは非常用電源４が収納されている収納ケースから手を滑らした場合に、非常用電源４若しくは収納ケースが落下するために非常用電源４を紛失したり破損したりする虞があった。
【００１０】
本発明は、上記の点に鑑みて為されたもので、非常用電源を交換する際に非常用電源が落下するのを防止することのできる照明装置を提供することを目的とする。
【課題を解決するための手段】
【００１１】
請求項１の発明は、上記目的を達成するために、天井若しくは壁面に配設される箱状の装置本体と、装置本体の一端部に配設されて一乃至複数の光源を収納する箱状の光源部と、端縁部が光源部に取り付けられて光源部からの光を端縁部より導入して前面から放出する表示パネルと、充電可能な二次電池、及び二次電池を収納するケースから成る非常用電源と、商用電源からの電力供給を受けて光源に点灯電力を供給する常用点灯回路、及び商用電源からの電力供給を受けて非常用電源を充電する充電回路、並びに非常用電源からの電力供給を受けて光源に点灯電力を供給する非常用点灯回路を有する点灯部とを備え、装置本体には、非常用電源が着脱自在に取り付けられる取付部が設けられ、取付部には、非常用電源を装置本体に取り付ける際に非常用電源が落下するのを防止する落下防止機構が設けられたことを特徴とする。
【００１２】
請求項２の発明は、請求項１の発明において、取付部は、装置本体の四隅のうち何れか１つを切り欠いて形成され、落下防止機構は、ケースにおいて取付部と対向する重力方向の一面に突設される嵌合片と、取付部においてケースの前記一面と対向する一面に凹設されて嵌合片がスライド自在に嵌合する嵌合溝とから成ることを特徴とする。
【００１３】
請求項３の発明は、請求項１の発明において、取付部は、装置本体の重力方向に沿った側面に凹設されてケースが挿入自在な凹所から成り、落下防止機構は、凹所がその開口から装置本体の内側に向かって重力方向に傾斜して成ることを特徴とする。
【００１４】
請求項４の発明は、請求項２又は３の発明において、ケースは、取付部に取り付けた状態においてその少なくとも何れか一面が装置本体の何れか一面と同一面上に位置するように形成されたことを特徴とする。
【発明の効果】
【００１５】
請求項１の発明によれば、非常用電源を交換する作業の際に誤って非常用電源から手を滑らしたとしても非常用電源が落下するのを防止することができる。したがって、落下による非常用電源の紛失や破損を回避することができる。
【００１６】
請求項２の発明によれば、非常用電源を交換する作業の際に誤って非常用電源が収納されているケースから手を滑らしたとしても、ケースの嵌合片が取付部の嵌合溝に嵌合することでケースが落下するのを防止することができる。
【００１７】
請求項３の発明によれば、非常用電源を交換する作業の際に誤って非常用電源が収納されているケースから手を滑らしたとしても、ケースが自重に従って取付部の凹所側面に案内されて凹所に収納されるので、ケースが落下するのを防止することができる。
【００１８】
請求項４の発明によれば、非常用電源を取付部に取り付けた際にケースの何れか一面と装置本体の何れか一面とが面一となるので、非常用電源が装着されたか否かを目視によって確認することができる。
【発明を実施するための最良の形態】
【００１９】
（実施形態１）
以下、本発明に係る照明装置の実施形態１について図面を用いて説明する。尚、本実施形態の基本的な構成は従来例と共通であるので、共通する部位には同一の番号を付して説明を省略するものとする。また、以下の説明では、図１（ａ）における上下左右を上下左右方向、紙面手前側を前方向、紙面奥側を後方向と定めるものとする。本実施形態は、図１（ａ），（ｂ）に示すように、天井若しくは壁面に配設される箱状の装置本体１と、装置本体１の一端部に配設されて直管形の放電灯を収納する箱状の光源部２と、端縁部が光源部２に取り付けられて光源部２からの光を端縁部より導入して前面から放出する表示パネル３と、充電可能な二次電池（図示せず）、及び二次電池を収納するケース４０から成る非常用電源４と、商用電源からの電力供給を受けて放電灯に点灯電力を供給する常用点灯回路、及び商用電源からの電力供給を受けて非常用電源４を充電する充電回路、並びに非常用電源４からの電力供給を受けて放電灯に点灯電力を供給する非常用点灯回路を有する点灯部５とを備え、装置本体１には、ケース４０が着脱自在に取り付けられる取付部６が設けられている。
【００２０】
取付部６は、装置本体１の右下隅を略矩形状に切り欠いて形成され、当該切り欠かれた部位を埋めるようにしてケース４０が配設される。取付部６上面の前後両端縁からは、それぞれ断面略Ｌ字状の突壁６０ａが左右方向に亘って突設されており、該突壁６０ａによって後述する嵌合片４１が嵌合する断面略Ｔ字状の嵌合溝６０が左右方向に亘って形成される。取付部６の左側面には、後述する非常用電源４の端子ピン４２が挿入される一対のピン挿入孔６１ａが貫設されたコネクタ６１が埋設されている。該コネクタ６１のピン挿入孔６１ａに端子ピン４２を挿入することで、非常用電源４と充電回路及び非常用点灯回路とが電気的に接続される。また、取付部６の左下端部には、断面略Ｌ字状に形成されて後述するケース４０の第１の係止溝４３に係止する第１の係止片６２が突設されている。
【００２１】
ケース４０は略直方体状に形成され、その内部に一乃至複数の二次電池が収納されている。また、ケース４０は、取付部６に取り付けた状態においてその右側面が装置本体１の右側面と同一面上に位置する寸法で形成されている。ケース４０の上面には、断面略Ｔ字状の嵌合片４１が左右方向に亘って突設されている。嵌合片４１は、上方に突出する突片４１ａと、突片４１ａの上端部からそれぞれ前後に広がる一対の翼片４１ｂとから成る。また、ケース４０下面には、第１の係止片６２が係止される断面略Ｌ字状の第１の係止溝４３が凹設されている。ケース４０の左側面からは、内部の二次電池と電気的に接続された一対の端子ピン４２が突設されている。尚、ケース４０の前面及び後面には、複数の突条から成る滑り止め部４０ａ（図示では前面のみ）が設けられており、ケース４０を手で持つ際に滑り止め部４０ａを把持することで、ケース４０から手を滑らすのを防止することができる。
【００２２】
以下、非常用電源４を取付部６に取り付ける方法について説明する。先ず、ケース４０の嵌合片４１を取付部６の嵌合溝６０に挿入し、ケース４０をスライド移動させる。次に、端子ピン４２をコネクタ６１のピン挿入孔６１ａに挿入し、最後に第１の係止片６２を第１の係止溝４３に係止させることで非常用電源４が取付部６に取り付けられる。尚、非常用電源４を取付部６から取り外す場合には、上記と逆の手順を行えばよい。
【００２３】
ここで、ケース４０の嵌合片４１と、取付部６の嵌合溝６０とで落下防止機構を構成しているので、非常用電源４を取付部６に取り付ける、若しくは取付部６から取り外す作業中に誤って手を滑らしても、嵌合片４１の翼片４１ｂが突壁６０ａに引っ掛かることでケース４０の落下を防止することができる。したがって、落下による非常用電源４の紛失や破損を回避することができる。
【００２４】
尚、本実施形態では取付部６を装置本体１の右下隅を切り欠くことで設けているが、この構成に限定される必要は無く、例えば装置本体１の右上隅を切り欠くことで設けても構わない。
【００２５】
（実施形態２）
以下、本発明に係る照明装置の実施形態２について図面を用いて説明する。尚、本実施形態の基本的な構成は実施形態１と共通であるので、共通する部位には同一の番号を付して説明を省略するものとする。また、以下の説明では、図２（ａ）における上下左右を上下左右方向、紙面手前側を前方向、紙面奥側を後方向と定めるものとする。本実施形態は、図２（ａ），（ｂ）に示すように、取付部６及びケース４０の構成が実施形態１と異なっている。
【００２６】
取付部６は、装置本体１の右側部に凹設され、右方向に窪んだ窪み部６４と、ケース４０が挿入自在な凹所６３とから成る。凹所６３は、その開口から装置本体１の内側に向かって重力方向（本実施形態では左下方向）に傾斜して成り、その底部には、一対のピン挿通孔６１ａが貫設されたコネクタ６１が埋設されている。また、窪み部６４には、後述するケース４０の第２の係止片４４が挿入される断面略Ｌ字状の第２の係止溝６４ａが貫設されている。
【００２７】
ケース４０は断面略へ字状に形成され、その内部に一乃至複数の二次電池が収納されている。また、ケース４０は、取付部６に取り付けた状態においてその右側面が装置本体１の右側面と同一面上に位置する寸法で形成されている。ケース４０の左側面上部には、左方向に突出する断面略Ｌ字状の第２の係止片４４が突設されている。また、ケース４０の下面からは、内部の二次電池と電気的に接続された一対の端子ピン４２が突設されている。
【００２８】
以下、非常用電源４を取付部６に取り付ける方法について説明する。先ず、ケース４０の下端部を取付部６の凹所６３に挿入し、凹所６３の内側面に沿って左下方向へスライドさせる。次に、端子ピン４２をコネクタ６１のピン挿入孔６１ａに挿入し、最後に第２の係止片４４を第２の係止溝６４ａに係止させることで非常用電源４が取付部６に取り付けられる。尚、非常用電源４を取付部６から取り外す場合には、上記と逆の手順を行えばよい。
【００２９】
ここで、取付部６の凹所６３が落下防止機構を構成しているので、非常用電源４を取付部６に取り付ける、若しくは取付部６から取り外す作業中に誤って手を滑らしても、ケース４０が自重に従って凹所６３の内側面に案内されて凹所６３に収納されるので、ケース４０が落下するのを防止することができる。したがって、落下による非常用電源４の紛失や破損を回避することができる。
【００３０】
尚、本実施形態では取付部６を装置本体１の右側部に凹設しているが、この構成に限定される必要は無く、例えば装置本体１の右上隅部に凹所６３を凹設し、該凹所６３にケース４０を上方から挿入して収納する構成であっても構わない。この構成の場合、凹所６３の開口を塞ぐ蓋体を別途設けるのが望ましい。
【００３１】
また、上記実施形態１，２では、何れにおいても非常用電源４を取付部６に取り付けた状態において、ケース４０の右側面と装置本体１の右側面とが同一面上に位置するようになっているので、非常用電源４が取付部６に装着されたか否かを目視によって確認することができる。
【００３２】
尚、上記実施形態１，２では光源として直管形の放電灯を用いているが、これに限定される必要は無く、例えば発光ダイオード等の発光素子を光源として用いても構わない。
【図面の簡単な説明】
【００３３】
【図１】本発明に係る照明装置の実施形態１を示す図で、（ａ）は全体斜視図で、（ｂ）は電池ケース取付時の要部拡大図である。
【図２】本発明に係る照明装置の実施形態２を示す図で、（ａ）は全体斜視図で、（ｂ）は電池ケース取付時の要部拡大図である。
【図３】従来の照明装置を示す分解斜視図である。
【符号の説明】
【００３４】
１  装置本体
２  光源部
３  表示パネル
４  非常用電源
４０  ケース
４１  嵌合片
６  取付部
６０  嵌合溝
【図１】
2010033846.tif 000003
【図２】
2010033846.tif 000004
【図３】
2010033846.tif 000005